(57)【要約】【課題】外周壁の内部における結露の発生を確実に防止することができる洋風水洗式便器を提供する。【解決手段】洋風水洗式便器は、床面に載置される外周壁１１を備えている。外周壁１１内には、便鉢１２と、便鉢１２の下端の流入口１３と連通して上昇する上昇流路１４と、上昇流路１４の下流側に連通し、便器洗浄水が滞留する滞留部２２を有する便器排水路２１とが形成されている。また、滞留部２２はその周囲が断熱材３０によって覆われている。【選択図】図１
2009002004.tif 000002
【特許請求の範囲】
【請求項１】
床面に載置される外周壁と、該外周壁内に形成された便鉢と、該外周壁内に形成され、該便鉢の下端の流入口と連通して上昇する上昇流路と、該外周壁内に形成され、該上昇流路の下流側に連通し、便器洗浄水が滞留する滞留部を有する便器排水路とを備えた洋風水洗式便器であって、
前記滞留部はその周囲が断熱材によって覆われていることを特徴とする洋風水洗式便器。
【請求項２】
前記外周壁、前記便鉢及び前記上昇流路は洋風便器本体に形成され、
前記便器排水路は該洋風便器本体の便器排出口と接続された排水接続管に形成され、
前記断熱材は、該排水接続管を覆うように組み付けられる左右に分割された分割材からなる請求項１記載の洋風水洗式便器。
【請求項３】
前記分割材の内面と前記排水接続管の外側面との間にはヒータが配置されており、該ヒータに電力を供給する電気コードは該分割材の分割面に形成された切欠きに挿通されている請求項２記載の洋風水洗式便器。
【発明の詳細な説明】
【技術分野】
【０００１】
本発明は洋風水洗式便器に関する。
【背景技術】
【０００２】
特許文献１の図１に従来の洋風水洗式便器が開示されている。この洋風水洗式便器は、床面に載置される外周壁を備えている。また、この外周壁内には、便鉢と、便鉢の下端の流入口と連通して上昇する上昇流路と、上昇流路の下流側に連通し、便器洗浄水が滞留する滞留部を有する便器排水路とが形成されている。外周壁、便鉢及び上昇流路は洋風便器本体に形成されている。便器排水路は洋風便器本体の便器排出口と接続された排水接続管に形成されている。
【０００３】
このような構成である従来の洋風水洗式便器では、滞留部より上流側の便器排水路と、滞留部より下流側の便器排水路との間を滞留部に滞留する便器洗浄水により封鎖しているため、便器洗浄水が便器排水路に供給されると、滞留部より上流側の便器排水路が早期に便器洗浄水で満水になり、サイホン作用が発生する。このため、少ない便器洗浄水で便鉢の洗浄を行なうことができる。
【０００４】
また、特許文献２の図１に従来の別の洋風水洗式便器が開示されている。この洋風水洗式便器も、床面に載置される外周壁を備えている。この外周壁内には、便鉢と、便鉢の下端の流入口と連通して上昇する上昇流路と、上昇流路の下流側に連通する便器排水路とが形成されている。外周壁、便鉢、上昇流路及び便器排水路は洋風便器本体に形成されている。また、この洋風水洗式便器は、下方から外周壁内に挿入され、外周壁の内側面及び便器排水路の外郭の外側面に接着される断熱材を備えている。断熱材の上面は、便鉢と上昇流路の外郭とからなって外周壁の内部に露出する露出面に沿う形状に形成されている。断熱材が外周壁内に取付けられた状態において、断熱材の上面と露出面との間には隙間が設けられている。この隙間は外部に対して閉じた空気の断熱層とされている。
【０００５】
このような構成である従来の洋風水洗式便器では、断熱材及び断熱層により、便鉢と上昇流路の外郭とからなる露出面における結露の発生を防止している。
【０００６】
【特許文献１】特開平１０−２１９７９８号公報
【特許文献２】実開平７−４５７８号公報
【発明の開示】
【発明が解決しようとする課題】
【０００７】
上記特許文献１に開示されている従来の洋風水洗式便器では、便鉢及び上昇流路により形成される水封部と、便器排水路の滞留部とにおいて、便器洗浄水が滞留する。このため、便鉢と上昇流路の外郭とからなる露出面と、滞留部の外殻の外側面とにおいて、結露が生じ易い。結露が洋風水洗式便器が設置されている床面に流下すると、床面の濡れや汚れ等の原因となる。また、洋風水洗式便器が床面に設置されれば、外周壁の内部の下方は目視不能となってしまうため、洋風水洗式便器の使用者等が知らないうちに結露により床面が濡れること等が繰り返されてしまう。
【０００８】
この点、特許文献２に開示されている従来の洋風水洗式便器に備えられた断熱材を特許文献１の洋風水洗式便器に採用することも考えられる。この場合、便鉢と上昇流路の外郭とからなる露出面については、下向きとなっているため、下方から外周壁内に挿入される断熱材により覆われることとなる。このため、その露出面においては、結露の発生を防止することができる。
【０００９】
しかしながら、滞留部の外郭は、下向きの露出面ばかりでなく、周囲に剥き出しとなっている場合がある。この外郭の外側面は、上向きの部分も存在するため、下方から外周壁内に挿入される断熱材ではその周囲を覆うことが困難である。このため、滞留部の外郭の外側面においては依然として結露が生じてしまう。
【００１０】
本発明は、上記従来の実情に鑑みてなされたものであって、外周壁の内部における結露の発生をより確実に防止することができる洋風水洗式便器を提供することを解決すべき課題としている。
【課題を解決するための手段】
【００１１】
本発明の洋風水洗式便器は、床面に載置される外周壁と、該外周壁内に形成された便鉢と、該外周壁内に形成され、該便鉢の下端の流入口と連通して上昇する上昇流路と、該外周壁内に形成され、該上昇流路の下流側に連通し、便器洗浄水が滞留する滞留部を有する便器排水路とを備えた洋風水洗式便器であって、
前記滞留部はその周囲が断熱材によって覆われていることを特徴とする。
【００１２】
このような構成である本発明の洋風水洗式便器では、便器排水路の滞留部が下向きの露出面ばかりでなく、その周囲が断熱材で覆われているため、滞留部の外郭の外側面における結露の発生を防止することができる。
【００１３】
したがって、本発明の洋風水洗式便器は、外周壁の内部における結露の発生をより確実に防止することができる。
【００１４】
断熱材は滞留部のみならず便器排水路全体の周囲を覆うものであっても良い。この場合、便器排水路の外郭の全外側面において確実に結露が生じないようにすることができる。
【００１５】
本発明の洋風水洗式便器において、外周壁、便鉢及び上昇流路は洋風便器本体に形成され、
便器排水路は洋風便器本体の便器排出口と接続された排水接続管に形成され、
断熱材は、排水接続管を覆うように組み付けられる左右に分割された分割材からなることが好ましい。
【００１６】
この場合、洋風便器本体とは別体の排水接続管に対して左右に分割された分割材を取付けることとなるため、断熱材により排水接続管を容易に覆うことができる。また、断熱材を上下に分割された分割材により形成すると、下側の分割材が上側の分割材から外れて落下してしまうおそれがある。下側の分割材が落下してしまうと露出した排水接続管の外側面に結露が生じてしまう。これに対し、左右に分割された分割材は排水接続管の上部に引っかかることにより落下し難く、分割材が落下しなければ排水接続管が露出せず、排水接続管の外側面に結露が生じることを防止することができる。
【００１７】
左右に分割された分割材の分割面には嵌合部が形成され、各分割材は各分割面を嵌合させて排水接続管を覆うように組み付けられるようにしても良い。このようにすれば、排水接続管に断熱材を容易に、かつ確実に取付けることができる。
【００１８】
分割材の内面と排水接続管の外側面との間にはヒータが配置されており、ヒータに電力を供給する電気コードは分割材の分割面に形成された切欠きに挿通されていることが好ましい。
【００１９】
この場合、ヒータを備えることにより、排水接続管の外側面における結露の発生をより確実に防止することができる。また、滞留部に滞留する便器洗浄水の凍結を防止することができる。さらに、電気コードの取出しを容易に行うことができる。
【００２０】
ヒータは分割材の少なくとも一つの内面に貼付されていても良い。この場合、断熱材を排水接続管に組み付ければ、ヒータは分割材の内面と排水接続管の外側面との間に配置されるため、ヒータの組み付け作業を容易に行なうことができる。また、ヒータは排水接続管の外側面に貼付されても良い。この場合、排水接続管に密着したヒータにより排水接続管を加熱することができるため、滞留部に滞留する便器洗浄水の凍結をより確実に防止することができる。
【発明を実施するための最良の形態】
【００２１】
以下、本発明を具体化した実施例を図面を参照しつつ説明する。
【実施例】
【００２２】
図１に示すように、実施例の洋風水洗式便器は、洋風便器本体１０を備えている。洋風便器本体１０には、床面に載置される外周壁１１が形成されている。また、この洋風便器本体１０には、外周壁１１内に、便鉢１２と、便鉢１２の下端の流入口１３と連通して上昇する上昇流路１４と、上昇流路１４と連通して下向きに屈曲し、下流端に便器排出口１６を有する下降流路１５とが形成されている。
【００２３】
便鉢１２の上部内周にはリム１７が形成されている。便鉢１２の下部及び上昇流路１４により水封部１８が形成されている。便鉢１２と上昇流路１４の外郭とからなって外周壁１１内に露出する露出面１９を覆うように、断熱材５０が露出面１９に取付けられている。断熱材５０の外縁部が露出面１９に接着され、断熱材５０の上面と露出面１９との間には隙間５０ｓが設けられている。この隙間５０ｓは外部に対して閉じた空気の断熱層とされている。断熱材５０及び隙間５１により形成された断熱層により、露出面１９における結露の発生を防止することができる。
【００２４】
また、洋風水洗式便器は外周壁内に排水接続管２０を備えている。排水接続管２０は、横Ｓ字状に形成されている。この排水接続管２０は、上流端に形成され、上向きに開口する第１開口２３と、下流端に形成され、下向きに開口する第２開口２４とを有している。第１開口２３にはパッキン２５が嵌合され、パッキン２５を介して水密状に便器排出口１６が挿入されている。また、第２開口２４は、この洋風水洗式便器が設置される床面から立ち上げられた排水管（図示しない）に接続される。この排水接続管２０の内部には、便器洗浄水が滞留する滞留部２２を有する便器排水路２１が形成されている。
【００２５】
図２に示すように、左右に分割された分割材３０ａ、３０ｂは、排水接続管２０の左右方向から挟み込むようにして排水接続管２０に組み付けられている。これにより、排水接続管２０はその周囲が断熱材３０によって覆われている。図３及び図４に示すように、断熱材３０は、一方の分割材３０ａと他方の分割材３０ｂとの分割面３１に相じゃくり状の嵌合部３０ｋが形成されている。すなわち、分割材３０ａ、３０ｂの嵌合部３０ｋは、相互に重ね合うように厚さの半分ずつが欠き取られた形状とされている。また、一方の分割材３０ａの内面にはヒータ４０が貼付されている（図２では省略）。図１に示すように、断熱材３０の内面と排水接続管２０の外側面との間には隙間３０ｓが設けられている。この隙間３０ｓは外部に対して閉じた空気の断熱層とされている。
【００２６】
断熱材３０は、各分割材３０ａ、３０ｂの分割面３１に形成された嵌合部３０ｋを嵌合させて排水接続管２０に組み付けられている。排水接続管２０を覆いながら組み付けられた各分割材３０ａ、３０ｂは、図４（ａ）〜（ｃ）に示すように、止め金具３４や接着剤３５や面ファスナー３６ａ、３６ｂにより、結合される。このため、断熱材３０を排水接続管２０に容易にかつ確実に取付けることができる。また、断熱材３０を上下に分割された分割材により形成すると、下側の分割材が上側の分割材から外れて落下してしまうおそれがあるが、左右に分割された分割材３０ａ、３０ｂは排水接続管２０の上部に引っかかることにより落下し難い。
【００２７】
また、図３（ｂ）に示すように、分割材３０ａの内面にはヒータ４０が貼付されており、ヒータ４０に電力を供給する電気コード４１は、分割材３０ａ、３０ｂの上側の分割面３１に形成された切欠き３１ａに挿通されている。排水接続管２０は断熱材３０に覆われ、さらにヒータ４０によって加熱可能な隙間３０ｓにより形成された断熱層にも覆われているため、排水接続管２０の外側面における結露の発生をより確実に防止することができ、さらに滞留部２２に滞留する便器洗浄水の凍結を防止することができる。
【００２８】
したがって、実施例の洋風水洗式便器は、外周壁１１の内部における結露の発生をより確実に防止することができる。
【００２９】
以上において、本発明を実施例に即して説明したが、本発明は上記実施例に制限されるものではなく、その趣旨を逸脱しない範囲で適宜変更して適用できることはいうもでもない。
【００３０】
例えば、断熱材３０に関しては、種々の構造を有するものを採用することが可能である。例えば、図５に示すように、断熱材３０は、一方の分割材３０ｃと他方の分割材３０ｄとの分割面３１に相じゃくり状の嵌合部３０ｋが形成され、各分割材３０ｃ、３０ｄの外周面は、組み付けられた際に、凹凸の無い形状に形成されている。この断熱材３０は、図５（ａ）及び（ｂ）に示すように、バンド３７や円弧状の弾性バネ３８により、各分割材３０ｃ、３０ｄを結合することができる。
【００３１】
また、図６（ａ）に示すように、断熱材３０の一方の分割材３０ｅの各分割面３１には、断面形状が略半円形状の凹溝３００ａが形成され、他方の分割材３０ｆの各分割面３１には、断面形状が略半円形状の凸条３００ｂが形成されている。このため、各凹溝３００ａと各凸条３００ｂとが係合するように各分割材３０ｅ、３０ｆを組み合わせることにより、各分割材３０ｅ、３０ｆを結合することができる。また、図６（ｂ）に示すように、断熱材３０の各分割材３０ｇ、３０ｈの各分割面３１の先端部には、断面形状が鉤状の係合部３０１ａ、３０１ｂが形成されている。このため、各係合部３０１ａ、３０１ｂを係合するように各分割材３０ｇ、３０ｈを組み合わせることにより、各分割材３０ｇ、３０ｈを結合することができる。また、図６（ｃ）に示すように、断熱材３０の一方の分割材３０ｉの上側の分割面３１には、断面形状が略半円形状の凸条３０２ａが形成され、下側の分割面３１には、断面形状が略半円形状の凹溝３０２ｂが形成されている。これに対して、他方の分割材３０ｊの上側の分割面３１には、断面形状が略半円形状の凹溝３０２ｂが形成され、下側の分割面３１には、断面形状が略半円形状の凸条３０２ａが形成されている。このため、各凸条３０２ａと各凹溝３０２ｂとが係合するように各分割材３０ｉ、３０ｊを組み合わせることにより、各分割材３０ｉ、３０ｊを結合することができる。
【００３２】
また、図１に示す下降流路１５を洋風便器本体１０とは別体の接続管により形成し、上昇流路１４の最上位部又はそれより下流側の位置で、この接続管を上昇流路１４に接続することが可能である。
【００３３】
また、ヒータ４０を排水接続管２０の外側面に貼付し、分割材３０ａ、３０ｂの上側の分割面３１に形成された切欠き３１ａにヒータ４０に電力を供給する電気コード４１を挿通することが可能である。
【産業上の利用可能性】
【００３４】
本発明は洋風水洗式便器に利用可能である。
【図面の簡単な説明】
【００３５】
【図１】実施例の洋風水洗式便器の断面図である。
【図２】実施例の排水接続管と断熱材とを分解して示す概略斜視図である。
【図３】実施例の断熱材に係り、図（ａ）は組み付け状態の立面図、図（ｂ）は一方の分割材の平面図である。
【図４】実施例の断熱材及び排水接続管の切断部端面図であり、図（ａ）〜（ｃ）は夫々相違する結合手段を示している。
【図５】他の形態を有する断熱材及び排水接続管の切断部端面図であり、図（ａ）及び（ｂ）は夫々相違する結合手段を示している。
【図６】他の形態を有する断熱材及び排水接続管の切断部端面図であり、図（ａ）〜（ｃ）は夫々相違する係合部を示している。
【符号の説明】
【００３６】
１１…外周壁
１２…便鉢
１３…流入口
１４…上昇流路
２１…便器排水路
２２…滞留部
３０…断熱材
【図１】
2009002004.tif 000003
【図２】
2009002004.tif 000004
【図３】
2009002004.tif 000005
【図４】
2009002004.tif 000006
【図５】
2009002004.tif 000007
【図６】
2009002004.tif 000008